【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
健康および安全について個人の集団を監視する方法であって、
前記集団の各個人について公称値およびしきい値バイオメトリックパラメータのそれぞれのバイオメトリックモデルを、１つまたは複数のバイオメトリックセンサーによって取得され、前記１つまたは複数のバイオメトリックセンサーに接続されるかつ前記集団の前記個人によって携帯される複数のワイヤレスバイオメトリックセンサーデバイスからワイヤレス送信されるバイオメトリックセンサーデータに基づいて、生成することと、
前記複数のワイヤレスバイオメトリックセンサーデバイスから現在のバイオメトリックセンサーデータをサーバで受信することと、
前記サーバにおいて、前記複数のワイヤレスバイオメトリックセンサーデバイスの各々から受信された前記現在のバイオメトリックセンサーデータをそれぞれの個人に関連付けることと、
その個人のための前記それぞれのバイオメトリックモデルを使用して前記個人のための前記現在のバイオメトリックセンサーデータを評価することと、
前記現在のバイオメトリックセンサーデータが前記個人のための少なくとも１つのバイオメトリックパラメータの公称値範囲の外部にあるとき、例外条件が存在するかどうかを判断することと、
前記例外条件が存在すると判断したことに応答して警報通知を送信することと、前記警報通知は、前記警報通知への応答に基づいて自動的に調整される記憶データに基づく、
前記現在のバイオメトリックセンサーデータに基づいて前記個人のための前記それぞれのバイオメトリックモデルを更新することと
を備える方法。
【請求項２】
各個人のための前記それぞれのバイオメトリックモデルは、時間条件に応じて各バイオメトリックパラメータの平均およびしきい値を計算するために、前記サーバが、ある時間期間にわたって各個人のための受信されたバイオメトリックセンサーデータを分析することによって判断され、
その個人のための前記それぞれのバイオメトリックモデルを使用して前記個人のための前記現在のバイオメトリックセンサーデータを評価することは、前記個人のための前記現在のバイオメトリックセンサーデータを、前記現在のバイオメトリックセンサーデータが前記サーバに送信された前記時間における前記時間条件のものと同様の時間条件におけるその個人のための前記バイオメトリックパラメータの公称値範囲と比較することを備える、請求項１に記載の方法。
【請求項３】
各個人のための前記それぞれのバイオメトリックモデルは、スケジュールされたアクティビティに応じて各バイオメトリックパラメータの平均およびしきい値を計算するために、前記サーバが、ある時間期間にわたって各個人のための受信されたバイオメトリックセンサーデータを分析することによって判断され、
その個人のための前記それぞれのバイオメトリックモデルを使用して前記個人のための前記現在のバイオメトリックセンサーデータを評価することは、前記個人のための前記現在のバイオメトリックセンサーデータを、前記現在のバイオメトリックセンサーデータが前記サーバに送信された前記時間における前記スケジュールされたアクティビティと同様のアクティビティ中の前記バイオメトリックパラメータの公称値範囲と比較することを備える、請求項１に記載の方法。
【請求項４】
各個人のための前記それぞれのバイオメトリックモデルは、大気条件に応じて各バイオメトリックパラメータの平均およびしきい値を計算するために、前記サーバが、ある時間期間にわたって各個人のための受信されたバイオメトリックセンサーデータを分析することによって判断され、
その個人のための前記それぞれのバイオメトリックモデルを使用して前記個人のための前記現在のバイオメトリックセンサーデータを評価することは、前記個人のための前記現在のバイオメトリックセンサーデータを、前記現在のバイオメトリックセンサーデータが前記サーバに送信された前記時間における前記大気条件のものと同様の大気条件におけるその個人のための前記バイオメトリックパラメータの公称値範囲と比較することを備える、請求項１に記載の方法。
【請求項５】
各個人のための前記それぞれのバイオメトリックモデルは、各個人の物理的ロケーションに応じて各バイオメトリックパラメータの平均およびしきい値を計算するために、前記サーバが、ある時間期間にわたって各個人のための受信されたバイオメトリックセンサーデータを分析することによって判断され、
その個人のための前記それぞれのバイオメトリックモデルを使用して各それぞれの個人のための前記現在のバイオメトリックセンサーデータを評価することは、各それぞれの個人のための前記現在のバイオメトリックセンサーデータを、前記現在のバイオメトリックセンサーデータが前記サーバに送信された前記時間において前記物理的ロケーションにいる間、その個人のための前記バイオメトリックパラメータの公称値範囲と比較することを備える、請求項１に記載の方法。
【請求項６】
各個人のための前記それぞれのバイオメトリックモデルは、様々なバイオメトリックパラメータ間の依存性を識別するために、前記サーバが、ある時間期間にわたって各個人のための受信されたバイオメトリックセンサーデータを分析することによって判断される、請求項１に記載の方法。
【請求項７】
前記個人のための前記それぞれのバイオメトリックモデルを更新することが、
警報通知に対する応答に起因する情報を表すために公称値およびしきい値を調整することを備える、請求項１に記載の方法。
【請求項８】
前記現在のバイオメトリックセンサーデータが、病気または負傷を示唆する方法でバイオメトリックパラメータの公称値範囲の外部にあるバイオメトリック測定値を記述すると判断したことに基づいて、前記例外条件が存在するかどうかを判断することをさらに備える、または
前記警報通知の送信方法および警報通知受信側のうちの少なくとも１つが前記例外条件の特性および前記記憶データによって判断される、請求項１に記載の方法。
【請求項９】
前記警報通知を送信することが、
電子通信、シンボル通信、または電話通信のうちの１つを送ること、または
２つ以上の受信側に通信を送ることを備える、請求項１に記載の方法。
【請求項１０】
前記例外条件の変化に基づく警報レベルの調整に応答して、追加の警報通知を送信することをさらに備える、請求項１に記載の方法。
【請求項１１】
前記記憶データが、前記例外条件と同様の前の例外条件に応答して送信された前の警報通知に対する応答に対応するデータを含む、請求項１に記載の方法。
【請求項１２】
前記１つまたは複数のバイオメトリックセンサーによって測定される前記バイオメトリックパラメータが、温度、加速度、脈拍数、血圧、血中酸素濃度、血糖値、皮膚のｐＨ、および発汗の存在のうちの１つまたは複数である、請求項１に記載の方法。
【請求項１３】
集団の各個人に取り付けられ、１つまたは複数のバイオメトリックセンサーを備える複数のワイヤレスバイオメトリックセンサーデバイスから取得されたバイオメトリックセンサーデータに基づいて、前記集団の前記各個人について公称値およびしきい値バイオメトリックパラメータのそれぞれのバイオメトリックモデルを生成するための手段と、
前記複数のワイヤレスバイオメトリックセンサーデバイスから現在のバイオメトリックセンサーデータを受信するための手段と、
各ワイヤレスバイオメトリックセンサーデバイスから受信された前記現在のバイオメトリックセンサーデータをそれぞれの個人に関連付けるための手段と、
その個人のための前記それぞれのバイオメトリックモデルを使用して前記個人のための前記現在のバイオメトリックセンサーデータを評価するための手段と、
前記現在のバイオメトリックセンサーデータが前記個人のための少なくとも１つのバイオメトリックパラメータの公称値範囲の外部にあるとき、例外条件が存在するかどうかを判断するための手段と、
前記例外条件が存在すると判断したことに応答して警報通知を送信するための手段と、前記警報通知は、前記警報通知への応答に基づいて自動的に調整される記憶データに基づく、
前記現在のバイオメトリックセンサーデータに基づいて前記個人のための前記それぞれのバイオメトリックモデルを更新するための手段と
を備える、サーバ。
【請求項１４】
請求項１から１２のいずれかの前記方法を実行するために、サーバプロセッサに行わせるように構成されたサーバプロセッサ実行可能命令を記憶した非一時的サーバ可読記憶媒体。
【請求項１５】
請求項１３にしたがったサーバと、
監視されるべき集団の個人に取り付けられるように構成された複数のワイヤレスバイオメトリックセンサーデバイスであって、前記複数のワイヤレスバイオメトリックセンサーデバイスの各々が、
少なくとも１つのバイオメトリックセンサーであって、それが取り付けられた個人のバイオメトリックパラメータを感知し、バイオメトリックセンサーデータを生成するように構成された少なくとも１つのバイオメトリックセンサーと、
ワイヤレス信号を使用して前記バイオメトリックセンサーデータとデバイス識別子とを送信するように構成されたワイヤレス送信機と、
ワイヤレス受信機デバイスであって、
前記複数のワイヤレスバイオメトリックセンサーデバイスによって送信されたワイヤレス信号を受信するように構成されたワイヤレス受信機と、
前記ワイヤレス受信機に結合され、ネットワークを介して前記サーバにバイオメトリックセンサーデータとデバイス識別子とを送信するように構成されたネットワークインターフェースと
を備える、
システム。
【手続補正２】
【補正対象書類名】明細書
【補正対象項目名】００９１
【補正方法】変更
【補正の内容】
【００９１】
[0098]開示する実施形態の上記の説明は、当業者が本発明を製作または使用できるように提供したものである。これらの実施形態に対する様々な変更は当業者には容易に明らかであり、本明細書で定義した一般原理は、本発明の趣旨または範囲から逸脱することなく他の実施形態に適用され得る。したがって、本発明は、本明細書で示した実施形態に限定されるものではなく、以下の特許請求の範囲ならびに本明細書で開示する原理および新規の特徴に合致する最も広い範囲を与えられるべきである。  
以下に、本願出願の当初の特許請求の範囲に記載された発明を付記する。
［Ｃ１］
健康および安全について個人の集団を監視する方法であって、
前記集団の各個人について公称値およびしきい値バイオメトリックパラメータのバイオメトリックモデルを、１つまたは複数のバイオメトリックセンサーによって取得され、前記センサーに接続されるかつ前記集団の前記個人によって携帯される複数のワイヤレスバイオメトリックセンサーデバイスからワイヤレス送信されるバイオメトリックセンサーデータに基づいて、生成することと、
前記複数のワイヤレスバイオメトリックセンサーデバイスからサーバに現在のバイオメトリックセンサーデータを送信することと、
前記サーバにおいて、前記複数のモバイルデバイスの各々から受信された前記現在のバイオメトリックセンサーデータをそれぞれの個人に関連付けることと、
その個人のための前記バイオメトリックモデルを使用して前記個人のための前記現在のバイオメトリックセンサーデータを評価することと、
前記現在のバイオメトリックセンサーデータが前記個人のための少なくとも１つのバイオメトリックパラメータの公称値範囲の外部にあるとき、例外条件を判断することと、
前記例外条件を判断したことに応答して警報通知を送信することと、
前記現在のバイオメトリックセンサーデータに基づいて前記個人のための前記バイオメトリックモデルを更新することと
を備える方法。
［Ｃ２］
各個人のための前記バイオメトリックモデルは、時間条件に応じて各バイオメトリックパラメータの平均およびしきい値を計算するために、前記サーバが、ある時間期間にわたって各個人のための受信されたバイオメトリックセンサーデータを分析することによって判断される、［Ｃ１］に記載の方法。
［Ｃ３］
前記現在のバイオメトリックセンサーデータが前記サーバに送信された時間における時間条件を判断すること
をさらに備え、
その個人のための前記バイオメトリックモデルを使用して前記個人のための前記現在のバイオメトリックセンサーデータを評価することは、前記個人のための前記現在のバイオメトリックセンサーデータを、前記現在のバイオメトリックセンサーデータが前記サーバに送信された前記時間における前記時間条件のものと同様の時間条件におけるその個人のための前記バイオメトリックパラメータの公称値範囲と比較することを備える、
［Ｃ２］に記載の方法。
［Ｃ４］
各個人のための前記バイオメトリックモデルは、スケジュールされたアクティビティに応じて各バイオメトリックパラメータの平均およびしきい値を計算するために、前記サーバが、ある時間期間にわたって各個人のための受信されたバイオメトリックセンサーデータを分析することによって判断される、［Ｃ１］に記載の方法。
［Ｃ５］
前記現在のバイオメトリックセンサーデータが前記サーバに送信された前記時間における個人の前記集団のためのスケジュールされたアクティビティを判断すること
をさらに備え、
その個人のための前記バイオメトリックモデルを使用して前記個人のための前記現在のバイオメトリックセンサーデータを評価することは、前記個人のための前記現在のバイオメトリックセンサーデータを、前記現在のバイオメトリックセンサーデータが前記サーバに送信された前記時間における前記スケジュールされたアクティビティと同様のアクティビティ中の前記バイオメトリックパラメータの公称値範囲と比較することを備える、
［Ｃ４］に記載の方法。
［Ｃ６］
各個人のための前記バイオメトリックモデルは、大気条件に応じて各バイオメトリックパラメータの平均およびしきい値を計算するために、前記サーバが、ある時間期間にわたって各個人のための受信されたバイオメトリックセンサーデータを分析することによって判断される、［Ｃ１］に記載の方法。
［Ｃ７］
前記現在のバイオメトリックセンサーデータが前記サーバに送信された前記時間における個人の前記集団のための前記大気条件を判断すること
をさらに備え、
その個人のための前記バイオメトリックモデルを使用して前記個人のための前記現在のバイオメトリックセンサーデータを評価することは、前記個人のための前記現在のバイオメトリックセンサーデータを、前記現在のバイオメトリックセンサーデータが前記サーバに送信された前記時間における前記大気条件のものと同様の大気条件におけるその個人のための前記バイオメトリックパラメータの公称値範囲と比較することを備える、
［Ｃ６］に記載の方法。
［Ｃ８］
各個人のための前記バイオメトリックモデルは、各個人の物理的ロケーションに応じて各バイオメトリックパラメータの平均およびしきい値を計算するために、前記サーバが、ある時間期間にわたって各個人のための受信されたバイオメトリックセンサーデータを分析することによって判断される、［Ｃ１］に記載の方法。
［Ｃ９］
前記現在のバイオメトリックセンサーデータが前記サーバに送信された前記時間における前記集団中の前記個人の前記物理的ロケーションを判断すること
をさらに備え、
その個人のための前記バイオメトリックモデルを使用して各それぞれ個人のための前記現在のバイオメトリックセンサーデータを評価することは、各それぞれの個人のための前記現在のバイオメトリックセンサーデータを、前記現在のバイオメトリックセンサーデータが前記サーバに送信された前記時間において前記物理的ロケーションにいる間、その個人のための前記バイオメトリックパラメータの公称値範囲と比較することを備える、
［Ｃ８］に記載の方法。
［Ｃ１０］
各個人のための前記バイオメトリックモデルは、様々なバイオメトリックパラメータ間の依存性を識別するために、前記サーバが、ある時間期間にわたって各個人のための受信されたバイオメトリックセンサーデータを分析することによって判断される、［Ｃ１］に記載の方法。
［Ｃ１１］
前記個人のための前記バイオメトリックモデルを更新することが、前記現在のバイオメトリックセンサーデータを表すために公称値およびしきい値を調整することを備える、［Ｃ１］に記載の方法。
［Ｃ１２］
前記個人のための前記バイオメトリックモデルを更新することが、警報通知に対する応答に起因する情報を表すために公称値およびしきい値を調整することを備える、［Ｃ１］に記載の方法。
［Ｃ１３］
前記現在のバイオメトリックセンサーデータが、病気または負傷を示唆する方法でバイオメトリックパラメータの公称値範囲の外部にあるバイオメトリック測定値を記述すると判断したことに基づいて、例外条件を判断することをさらに備える、［Ｃ１］に記載の方法。
［Ｃ１４］
前記警報通知が前記例外条件の特性によって判断される、［Ｃ１］に記載の方法。
［Ｃ１５］
前記警報通知を送信することが、電子通信、シンボル通信、または電話通信のうちの１つを送ることを備える、［Ｃ１］に記載の方法。
［Ｃ１６］
前記警報通知を送信することが、２つ以上の受信側に通信を送ることを備える、［Ｃ１］に記載の方法。
［Ｃ１７］
前記例外条件の変化に基づく警報レベルの調整に応答して、追加の警報通知を送信することをさらに備える、［Ｃ１］に記載の方法。
［Ｃ１８］
前記警報通知が、前記例外条件と同様の前の例外条件に応答して送信された前の警報通知に対する応答を評価することによって判断される、［Ｃ１］に記載の方法。
［Ｃ１９］
前記１つまたは複数のバイオメトリックセンサーによって測定される前記バイオメトリックパラメータが、温度、加速度、脈拍数、血圧、血中酸素濃度、血糖値、皮膚のｐＨ、および発汗の存在のうちの１つまたは複数である、［Ｃ１］に記載の方法。
［Ｃ２０］
メモリと、
前記メモリに結合されたサーバプロセッサと
を備える、サーバであって、前記サーバプロセッサは、
集団の各個人に取り付けられ、１つまたは複数のバイオメトリックセンサーを備える複数のワイヤレスバイオメトリックセンサーデバイスから取得されたバイオメトリックセンサーデータに基づいて、前記集団の前記個人について公称値およびしきい値バイオメトリックパラメータのバイオメトリックモデルを生成することと、
前記複数のワイヤレスバイオメトリックセンサーデバイスから現在のバイオメトリックセンサーデータを受信することと、
各モバイルデバイスから受信された前記現在のバイオメトリックセンサーデータをそれぞれの個人に関連付けることと、
その個人のための前記バイオメトリックモデルを使用して前記個人のための前記現在のバイオメトリックセンサーデータを評価することと、
前記現在のバイオメトリックセンサーデータが前記個人のための少なくとも１つのバイオメトリックパラメータの公称値範囲の外部にあるとき、例外条件を判断することと、
前記例外条件を判断したことに応答して警報通知を送信することと、
前記現在のバイオメトリックセンサーデータに基づいて前記個人のための前記バイオメトリックモデルを更新することと
を備える動作を実行するためのサーバプロセッサ実行可能命令で構成された、
サーバ。
［Ｃ２１］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、時間条件に応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ２０］に記載のサーバ。 
［Ｃ２２］
前記サーバプロセッサは、前記現在のバイオメトリックセンサーデータが前記サーバに送信された時間における時間条件を判断することをさらに備える動作を実行するためのサーバプロセッサ実行可能命令で構成され、
前記サーバプロセッサは、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記時間条件のものと同様の時間条件におけるその個人のための前記バイオメトリックパラメータの公称値範囲と比較することを備えるようなサーバプロセッサ実行可能命令で構成された、
［Ｃ２１］に記載のサーバ。
［Ｃ２３］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、スケジュールされたアクティビティに応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ２０］に記載のサーバ。
［Ｃ２４］
前記サーバプロセッサは、前記現在のバイオメトリックセンサーデータが前記サーバに送信された前記時間における個人の前記集団のためのスケジュールされたアクティビティを判断することをさらに備える動作を実行するためのサーバプロセッサ実行可能命令で構成され、
前記サーバプロセッサは、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記スケジュールされたアクティビティと同様のアクティビティ中の前記バイオメトリックパラメータの公称値範囲と比較することを備えるようなサーバプロセッサ実行可能命令で構成された、
［Ｃ２３］に記載のサーバ。
［Ｃ２５］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、大気条件に応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ２０］に記載のサーバ。 
［Ｃ２６］
前記サーバプロセッサは、前記現在のバイオメトリックセンサーデータが前記サーバに送信された前記時間における個人の前記集団のための前記大気条件を判断することをさらに備える動作を実行するためのサーバプロセッサ実行可能命令で構成され、
前記サーバプロセッサは、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記大気条件のものと同様の大気条件におけるその個人のための前記バイオメトリックパラメータの公称値範囲と比較することを備えるようなサーバプロセッサ実行可能命令で構成された、
［Ｃ２５］に記載のサーバ。
［Ｃ２７］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、各個人の物理的ロケーションに応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ２０］に記載のサーバ。
［Ｃ２８］
前記サーバプロセッサは、前記現在のバイオメトリックセンサーデータが前記サーバに送信された前記時間における前記集団中の前記個人の前記物理的ロケーションを判断することをさらに備える動作を実行するためのサーバプロセッサ実行可能命令で構成され、
前記サーバプロセッサは、その個人のための前記バイオメトリックモデルを使用して各それぞれの個人のための前記現在のバイオメトリックセンサーデータを評価することが、各それぞれの個人のための前記現在のバイオメトリックセンサーデータを、前記現在のバイオメトリックセンサーデータが前記サーバに送信された前記時間において前記物理的ロケーションにいる間、その個人のための前記バイオメトリックパラメータの公称値範囲と比較することを備えるようなサーバプロセッサ実行可能命令で構成された、
［Ｃ２７］に記載のサーバ。
［Ｃ２９］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、様々なバイオメトリックパラメータ間の依存性を識別するためにある時間期間にわたって各個人のための受信されたバイオメトリックセンサーデータを分析することを備えるような動作を実行するためのサーバプロセッサ実行可能命令で構成された、［Ｃ２０］に記載のサーバ。
［Ｃ３０］
前記サーバプロセッサは、前記個人のための前記バイオメトリックモデルを更新することが、前記現在のバイオメトリックセンサーデータを表すために公称値およびしきい値を調整することを備えるようなサーバプロセッサ実行可能命令で構成された、［Ｃ２０］に記載のサーバ。
［Ｃ３１］
前記サーバプロセッサは、前記個人のための前記バイオメトリックモデルを更新することが、警報通知に対する応答に起因する情報を表すために公称値およびしきい値を調整することを備えるようなサーバプロセッサ実行可能命令で構成された、［Ｃ２０］に記載のサーバ。
［Ｃ３２］
前記サーバプロセッサは、前記現在のバイオメトリックセンサーデータが、病気または負傷を示唆する方法でバイオメトリックパラメータの公称値範囲の外部にあるバイオメトリック測定値を記述すると判断したことに基づいて、例外条件を判断することをさらに備える動作を実行するためのサーバプロセッサ実行可能命令で構成された、［Ｃ２０］に記載のサーバ。
［Ｃ３３］
前記サーバプロセッサが、前記例外条件の特性に基づいて送信について前記警報通知を判断することをさらに備える動作を実行するためのサーバプロセッサ実行可能命令で構成された、［Ｃ２０］に記載のサーバ。
［Ｃ３４］
前記サーバプロセッサは、前記例外条件を判断したことに応答して警報通知を送信することが、電子通信、シンボル通信、または電話通信のうちの１つを送ることを備えるようなサーバプロセッサ実行可能命令で構成された、［Ｃ２０］に記載のサーバ。
［Ｃ３５］
前記サーバプロセッサは、前記例外条件を判断したことに応答して警報通知を送信することが、２つ以上の受信側に通信を送ることを備えるようなサーバプロセッサ実行可能命令で構成された、［Ｃ２０］に記載のサーバ。
［Ｃ３６］
前記サーバプロセッサが、前記例外条件の変化に基づく警報レベルの調整に応答して、追加の警報通知を送信することをさらに備える動作を実行するためのサーバプロセッサ実行可能命令で構成された、［Ｃ２０］に記載のサーバ。
［Ｃ３７］
前記サーバプロセッサが、前記例外条件と同様の前の例外条件に応答して送信された前の警報通知に対する応答を評価することによって送信について前記警報通知を判断することをさらに備える動作を実行するためのサーバプロセッサ実行可能命令で構成された、［Ｃ２０］に記載のサーバ。
［Ｃ３８］
前記サーバプロセッサは、前記バイオメトリックモデルを更新する際に評価され、使用される前記バイオメトリックセンサーデータが、温度、加速度、脈拍数、血圧、血中酸素濃度、血糖値、皮膚のｐＨ、および発汗の存在のうちの１つまたは複数を備えるような動作を実行するためのサーバプロセッサ実行可能命令で構成された、［Ｃ２０］に記載のサーバ。
［Ｃ３９］
集団の各個人に取り付けられ、１つまたは複数のバイオメトリックセンサーを備える複数のワイヤレスバイオメトリックセンサーデバイスから取得されたバイオメトリックセンサーデータに基づいて、前記集団の前記個人について公称値およびしきい値バイオメトリックパラメータのバイオメトリックモデルを生成するための手段と、
前記複数のワイヤレスバイオメトリックセンサーデバイスから現在のバイオメトリックセンサーデータを受信するための手段と、
各モバイルデバイスから受信された前記現在のバイオメトリックセンサーデータをそれぞれの個人に関連付けるための手段と、
その個人のための前記バイオメトリックモデルを使用して前記個人のための前記現在のバイオメトリックセンサーデータを評価するための手段と、
前記現在のバイオメトリックセンサーデータが前記個人のための少なくとも１つのバイオメトリックパラメータの公称値範囲の外部にあるとき、例外条件を判断するための手段と、
前記例外条件を判断したことに応答して警報通知を送信するための手段と、
前記現在のバイオメトリックセンサーデータに基づいて前記個人のための前記バイオメトリックモデルを更新するための手段と
を備える、サーバ。
［Ｃ４０］
複数のワイヤレスバイオメトリックセンサーデバイスから取得されたバイオメトリックセンサーデータに基づいて、集団の各個人について公称値およびしきい値バイオメトリックパラメータのバイオメトリックモデルを生成するための手段が、時間条件に応じて各バイオメトリックパラメータの平均およびしきい値を計算するためにある時間期間にわたって各個人のための受信されたバイオメトリックセンサーデータを分析するための手段を備える、［Ｃ３９］に記載のサーバ。
［Ｃ４１］
前記現在のバイオメトリックセンサーデータが前記サーバに送信された時間における時間条件を判断するための手段をさらに備え、
その個人のための前記バイオメトリックモデルを使用して前記個人のための前記現在のバイオメトリックセンサーデータを評価するための手段は、前記個人のための前記現在のバイオメトリックセンサーデータを、前記現在のバイオメトリックセンサーデータが前記サーバに送信された前記時間における前記時間条件のものと同様の時間条件におけるその個人のための前記バイオメトリックパラメータの公称値範囲と比較するための手段を備える、
［Ｃ４０］に記載のサーバ。
［Ｃ４２］
複数のワイヤレスバイオメトリックセンサーデバイスから取得されたバイオメトリックセンサーデータに基づいて、集団の各個人について公称値およびしきい値バイオメトリックパラメータのバイオメトリックモデルを生成するための手段が、スケジュールされたアクティビティに応じて各バイオメトリックパラメータの平均およびしきい値を計算するためにある時間期間にわたって各個人のための受信されたバイオメトリックセンサーデータを分析するための手段を備える、［Ｃ３９］に記載のサーバ。
［Ｃ４３］
前記現在のバイオメトリックセンサーデータが前記サーバに送信された前記時間における個人の前記集団のためのスケジュールされたアクティビティを判断するための手段をさらに備え、
その個人のための前記バイオメトリックモデルを使用して前記個人のための前記現在のバイオメトリックセンサーデータを評価するための手段は、前記個人のための前記現在のバイオメトリックセンサーデータを、前記現在のバイオメトリックセンサーデータが前記サーバに送信された前記時間における前記スケジュールされたアクティビティと同様のアクティビティ中の前記バイオメトリックパラメータの公称値範囲と比較するための手段を備える、
［Ｃ４２］に記載のサーバ。
［Ｃ４４］
複数のワイヤレスバイオメトリックセンサーデバイスから取得されたバイオメトリックセンサーデータに基づいて、集団の各個人について公称値およびしきい値バイオメトリックパラメータのバイオメトリックモデルを生成するための手段が、大気条件に応じて各バイオメトリックパラメータの平均およびしきい値を計算するためにある時間期間にわたって各個人のための受信されたバイオメトリックセンサーデータを分析するための手段を備える、［Ｃ３９］に記載のサーバ。
［Ｃ４５］
前記現在のバイオメトリックセンサーデータが前記サーバに送信された前記時間における個人の前記集団のための前記大気条件を判断するための手段をさらに備え、
その個人のための前記バイオメトリックモデルを使用して前記個人のための前記現在のバイオメトリックセンサーデータを評価するための手段は、前記個人のための前記現在のバイオメトリックセンサーデータを、前記現在のバイオメトリックセンサーデータが前記サーバに送信された前記時間における前記大気条件のものと同様の大気条件におけるその個人のための前記バイオメトリックパラメータの公称値範囲と比較するための手段を備える、
［Ｃ４４］に記載のサーバ。
［Ｃ４６］
複数のワイヤレスバイオメトリックセンサーデバイスから取得されたバイオメトリックセンサーデータに基づいて、集団の各個人について公称値およびしきい値バイオメトリックパラメータのバイオメトリックモデルを生成するための手段が、各個人の物理的ロケーションに応じて各バイオメトリックパラメータの平均およびしきい値を計算するためにある時間期間にわたって各個人のための受信されたバイオメトリックセンサーデータを分析するための手段を備える、［Ｃ３９］に記載のサーバ。
［Ｃ４７］
前記現在のバイオメトリックセンサーデータが前記サーバに送信された前記時間における前記集団中の前記個人の前記物理的ロケーションを判断するための手段をさらに備え、
その個人のための前記バイオメトリックモデルを使用して各それぞれ個人のための前記現在のバイオメトリックセンサーデータを評価するための手段は、各それぞれの個人のための前記現在のバイオメトリックセンサーデータを、前記現在のバイオメトリックセンサーデータが前記サーバに送信された前記時間において前記物理的ロケーションにいる間、その個人のための前記バイオメトリックパラメータの公称値範囲と比較するための手段を備える、
［Ｃ４６］に記載のサーバ。
［Ｃ４８］
複数のワイヤレスバイオメトリックセンサーデバイスから取得されたバイオメトリックセンサーデータに基づいて、集団の各個人について公称値およびしきい値バイオメトリックパラメータのバイオメトリックモデルを生成するための手段が、様々なバイオメトリックパラメータ間の依存性を識別するためにある時間期間にわたって各個人のための受信されたバイオメトリックセンサーデータを分析するための手段を備える、［Ｃ３９］に記載のサーバ。
［Ｃ４９］
前記個人のための前記バイオメトリックモデルを更新するための手段が、前記現在のバイオメトリックセンサーデータを表すために公称値およびしきい値を調整するための手段を備える、［Ｃ３９］に記載のサーバ。
［Ｃ５０］
前記個人のための前記バイオメトリックモデルを更新するための手段が、警報通知に対する応答に起因する情報を表すために公称値およびしきい値を調整するための手段を備える、［Ｃ３９］に記載のサーバ。
［Ｃ５１］
例外条件を判断するための手段は、前記現在のバイオメトリックセンサーデータが、病気または負傷を示唆する方法でバイオメトリックパラメータの公称値範囲の外部にあるバイオメトリック測定値を記述すると判断したことに基づいて、例外条件を判断するための手段を備えること、をさらに備える、［Ｃ３９］に記載のサーバ。
［Ｃ５２］
例外条件を判断するための手段が、前記例外条件の特性を使用するための手段を備える、［Ｃ３９］に記載のサーバ。
［Ｃ５３］
前記例外条件を判断したことに応答して警報通知を送信するための手段が、電子通信、シンボル通信、または電話通信のうちの１つを送るための手段を備える、［Ｃ３９］に記載のサーバ。
［Ｃ５４］
前記例外条件を判断したことに応答して警報通知を送信するための手段が、２つ以上の受信側に通信を送るための手段を備える、［Ｃ３９］に記載のサーバ。
［Ｃ５５］
前記例外条件の変化に基づく警報レベルの調整に応答して、追加の警報通知を送信するための手段をさらに備える、［Ｃ３９］に記載のサーバ。
［Ｃ５６］
前記例外条件と同様の前の例外条件に応答して送信された前の警報通知に対する応答を評価することによって送信について前記警報通知を判断するための手段をさらに備える、［Ｃ３９］に記載のサーバ。
［Ｃ５７］
前記バイオメトリックモデルを更新する際に評価され、使用される前記バイオメトリックセンサーデータが、温度、加速度、脈拍数、血圧、血中酸素濃度、血糖値、皮膚のｐＨ、および発汗の存在のうちの１つまたは複数を備える、［Ｃ３９］に記載のサーバ。
［Ｃ５８］
健康および安全について個人の集団を監視するための動作をサーバプロセッサに実行させるように構成されたサーバプロセッサ実行可能命令を記憶した非一時的サーバ可読記憶媒体であって、前記動作は、
集団の各個人に取り付けられ、１つまたは複数のバイオメトリックセンサーを備える複数のワイヤレスバイオメトリックセンサーデバイスから取得されたバイオメトリックセンサーデータに基づいて、前記集団の前記個人について公称値およびしきい値バイオメトリックパラメータのバイオメトリックモデルを生成することと、
前記複数のワイヤレスバイオメトリックセンサーデバイスから現在のバイオメトリックセンサーデータを受信することと、
各モバイルデバイスから受信された前記現在のバイオメトリックセンサーデータをそれぞれの個人に関連付けることと、
その個人のための前記バイオメトリックモデルを使用して前記個人のための前記現在のバイオメトリックセンサーデータを評価することと、
前記現在のバイオメトリックセンサーデータが前記個人のための少なくとも１つのバイオメトリックパラメータの公称値範囲の外部にあるとき、例外条件を判断することと、
前記例外条件を判断したことに応答して警報通知を送信することと、
前記現在のバイオメトリックセンサーデータに基づいて前記個人のための前記バイオメトリックモデルを更新することと
を備える、非一時的サーバ可読記憶媒体。
［Ｃ５９］
前記記憶されたサーバプロセッサ実行可能ソフトウェア命令は、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、時間条件に応じて各バイオメトリックパラメータの平均およびしきい値を計算するためにある時間期間にわたって各個人のための受信されたバイオメトリックセンサーデータを分析することを備えるような動作をサーバプロセッサに実行させるように構成された、［Ｃ５８］に記載の非一時的サーバ可読記憶媒体。
［Ｃ６０］
前記記憶されたサーバプロセッサ実行可能ソフトウェア命令は、前記現在のバイオメトリックセンサーデータが前記サーバに送信された時間における時間条件を判断することをさらに備える動作をサーバプロセッサに実行させるように構成され、
前記記憶されたサーバプロセッサ実行可能ソフトウェア命令は、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記時間条件のものと同様の時間条件におけるその個人のための前記バイオメトリックパラメータの公称値範囲と比較することを備えるような動作をサーバプロセッサに実行させるように構成された、
［Ｃ５９］に記載の非一時的サーバ可読記憶媒体。
［Ｃ６１］
前記記憶されたサーバプロセッサ実行可能ソフトウェア命令は、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、スケジュールされたアクティビティに応じて各バイオメトリックパラメータの平均およびしきい値を計算するためにある時間期間にわたって各個人のための受信されたバイオメトリックセンサーデータを分析することを備えるような動作をサーバプロセッサに実行させるように構成された、［Ｃ５８］に記載の非一時的サーバ可読記憶媒体。
［Ｃ６２］
前記記憶されたサーバプロセッサ実行可能ソフトウェア命令は、前記現在のバイオメトリックセンサーデータが前記サーバに送信された前記時間における個人の前記集団のためのスケジュールされたアクティビティを判断することをさらに備える動作をサーバプロセッサに実行させるように構成され、
前記記憶されたサーバプロセッサ実行可能ソフトウェア命令は、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記スケジュールされたアクティビティと同様のアクティビティ中の前記バイオメトリックパラメータの公称値範囲と比較することを備えるような動作をサーバプロセッサに実行させるように構成された、 
［Ｃ６１］に記載の非一時的サーバ可読記憶媒体。
［Ｃ６３］
前記記憶されたサーバプロセッサ実行可能ソフトウェア命令は、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、大気条件に応じて各バイオメトリックパラメータの平均およびしきい値を計算するためにある時間期間にわたって各個人のための受信されたバイオメトリックセンサーデータを分析することを備えるような動作をサーバプロセッサに実行させるように構成された、［Ｃ５８］に記載の非一時的サーバ可読記憶媒体。
［Ｃ６４］
前記記憶されたサーバプロセッサ実行可能ソフトウェア命令は、前記現在のバイオメトリックセンサーデータが前記サーバに送信された前記時間における個人の前記集団のための前記大気条件を判断することをさらに備える動作をサーバプロセッサに実行させるように構成され、
前記記憶されたサーバプロセッサ実行可能ソフトウェア命令は、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記大気条件のものと同様の大気条件におけるその個人のための前記バイオメトリックパラメータの公称値範囲と比較することを備えるような動作をサーバプロセッサに実行させるように構成された、
［Ｃ６３］に記載の非一時的サーバ可読記憶媒体。
［Ｃ６５］
前記記憶されたサーバプロセッサ実行可能ソフトウェア命令は、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、各個人の物理的ロケーションに応じて各バイオメトリックパラメータの平均およびしきい値を計算するためにある時間期間にわたって各個人のための受信されたバイオメトリックセンサーデータを分析することを備えるような動作をサーバプロセッサに実行させるように構成された、［Ｃ５８］に記載の非一時的サーバ可読記憶媒体。
［Ｃ６６］
前記記憶されたサーバプロセッサ実行可能ソフトウェア命令は、前記現在のバイオメトリックセンサーデータが前記サーバに送信された前記時間における前記集団中の前記個人の前記物理的ロケーションを判断することをさらに備える動作をサーバプロセッサに実行させるように構成され、
前記記憶されたサーバプロセッサ実行可能ソフトウェア命令は、その個人のための前記バイオメトリックモデルを使用して各それぞれの個人のための前記現在のバイオメトリックセンサーデータを評価することが、各それぞれの個人のための前記現在のバイオメトリックセンサーデータを、前記現在のバイオメトリックセンサーデータが前記サーバに送信された前記時間において前記物理的ロケーションにいる間、その個人のための前記バイオメトリックパラメータの公称値範囲と比較することを備えるような動作をサーバプロセッサに実行させるように構成された、
［Ｃ６５］に記載の非一時的サーバ可読記憶媒体。
［Ｃ６７］
前記記憶されたサーバプロセッサ実行可能ソフトウェア命令は、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、様々なバイオメトリックパラメータ間の依存性を識別するためにある時間期間にわたって各個人のための受信されたバイオメトリックセンサーデータを分析することを備えるような動作をサーバプロセッサに実行させるように構成された、［Ｃ５８］に記載の非一時的サーバ可読記憶媒体。
［Ｃ６８］
前記記憶されたサーバプロセッサ実行可能ソフトウェア命令は、前記個人のための前記バイオメトリックモデルを更新することが、前記現在のバイオメトリックセンサーデータを表すために公称値およびしきい値を調整することを備えるような動作をサーバプロセッサに実行させるように構成された、［Ｃ５８］に記載の非一時的サーバ可読記憶媒体。
［Ｃ６９］
前記記憶されたサーバプロセッサ実行可能ソフトウェア命令は、前記個人のための前記バイオメトリックモデルを更新することが、警報通知に対する応答に起因する情報を表すために公称値およびしきい値を調整することを備えるような動作をサーバプロセッサに実行させるように構成された、［Ｃ５８］に記載の非一時的サーバ可読記憶媒体。
［Ｃ７０］
前記記憶されたサーバプロセッサ実行可能ソフトウェア命令は、前記現在のバイオメトリックセンサーデータが、病気または負傷を示唆する方法でバイオメトリックパラメータの公称値範囲の外部にあるバイオメトリック測定値を記述すると判断したことに基づいて、例外条件を判断することをさらに備える動作をサーバプロセッサに実行させるように構成された、［Ｃ５８］に記載の非一時的サーバ可読記憶媒体。
［Ｃ７１］
前記記憶されたサーバプロセッサ実行可能ソフトウェア命令が、前記例外条件の特性に基づいて送信について前記警報通知を判断することをさらに備える動作をサーバプロセッサに実行させるように構成された、［Ｃ５８］に記載の非一時的サーバ可読記憶媒体。
［Ｃ７２］
前記記憶されたサーバプロセッサ実行可能ソフトウェア命令は、前記例外条件を判断したことに応答して警報通知を送信することが、電子通信、シンボル通信、または電話通信のうちの１つを送ることを備えるような動作をサーバプロセッサに実行させるように構成された、［Ｃ５８］に記載の非一時的サーバ可読記憶媒体。
［Ｃ７３］
前記記憶されたサーバプロセッサ実行可能ソフトウェア命令は、前記例外条件を判断したことに応答して警報通知を送信することが、２つ以上の受信側に通信を送ることを備えるような動作をサーバプロセッサに実行させるように構成された、［Ｃ５８］に記載の非一時的サーバ可読記憶媒体。
［Ｃ７４］
前記記憶されたサーバプロセッサ実行可能ソフトウェア命令が、前記例外条件の変化に基づく警報レベルの調整に応答して、追加の警報通知を送信することをさらに備える動作をサーバプロセッサに実行させるように構成された、［Ｃ５８］に記載の非一時的サーバ可読記憶媒体。
［Ｃ７５］
前記記憶されたサーバプロセッサ実行可能ソフトウェア命令が、前記例外条件と同様の前の例外条件に応答して送信された前の警報通知に対する応答を評価することによって送信について前記警報通知を判断することをさらに備える動作をサーバプロセッサに実行させるように構成された、［Ｃ５８］に記載の非一時的サーバ可読記憶媒体。
［Ｃ７６］
前記記憶されたサーバプロセッサ実行可能ソフトウェア命令は、前記バイオメトリックモデルを更新する際に評価され、使用される前記バイオメトリックセンサーデータが、温度、加速度、脈拍数、血圧、血中酸素濃度、血糖値、皮膚のｐＨ、および発汗の存在のうちの１つまたは複数を備えるような動作をサーバプロセッサに実行させるように構成された、［Ｃ５８］に記載の非一時的サーバ可読記憶媒体。
［Ｃ７７］
サーバと、
監視されるべき集団の個人に取り付けられるように構成された複数のワイヤレスバイオメトリックセンサーデバイスであって、前記複数のワイヤレスバイオメトリックセンサーデバイスの各々が、
少なくとも１つのバイオメトリックセンサーであって、それが取り付けられた個人のバイオメトリックパラメータを感知し、バイオメトリックセンサーデータを生成するように構成された少なくとも１つのバイオメトリックセンサーと、
ワイヤレス信号を使用して前記バイオメトリックセンサーデータとデバイス識別子とを送信するように構成されたワイヤレス送信機と、
ワイヤレス受信機デバイスであって、
前記複数のワイヤレスバイオメトリックセンサーデバイスによって送信されたワイヤレス信号を受信するように構成されたワイヤレス受信機と、
前記ワイヤレス受信機に結合され、ネットワークを介して前記サーバにバイオメトリックセンサーデータとデバイス識別子とを送信するように構成されたネットワークインターフェースと
を備える、ワイヤレス受信機デバイスと
を備える、複数のワイヤレスバイオメトリックセンサーデバイスと
を備える、システムであって、
前記サーバは、
メモリと、
前記メモリに結合されたサーバプロセッサであって、
集団の各個人に取り付けられ、１つまたは複数のバイオメトリックセンサーを備える複数のワイヤレスバイオメトリックセンサーデバイスから取得されたバイオメトリックセンサーデータに基づいて、前記集団の前記個人について公称値およびしきい値バイオメトリックパラメータのバイオメトリックモデルを生成することと、
前記複数のワイヤレスバイオメトリックセンサーデバイスから現在のバイオメトリックセンサーデータを受信することと、
各モバイルデバイスから受信された前記現在のバイオメトリックセンサーデータをそれぞれの個人に関連付けることと、
その個人のための前記バイオメトリックモデルを使用して前記個人のための前記現在のバイオメトリックセンサーデータを評価することと、
前記現在のバイオメトリックセンサーデータが前記個人のための少なくとも１つのバイオメトリックパラメータの公称値範囲の外部にあるとき、例外条件を判断することと、
前記例外条件を判断したことに応答して警報通知を送信することと、
前記現在のバイオメトリックセンサーデータに基づいて前記個人のための前記バイオメトリックモデルを更新することと
を備える動作を実行するためのサーバプロセッサ実行可能命令で構成された、サーバプロセッサと
を備える、
システム。
［Ｃ７８］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、時間条件に応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ７７］に記載のシステム。
［Ｃ７９］
前記サーバプロセッサは、前記現在のバイオメトリックセンサーデータが前記サーバに送信された時間における時間条件を判断することをさらに備える動作を実行するためのサーバプロセッサ実行可能命令で構成され、
前記サーバプロセッサは、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記時間条件のものと同様の時間条件におけるその個人のための前記バイオメトリックパラメータの公称値範囲と比較することを備えるようなサーバプロセッサ実行可能命令で構成された、
［Ｃ７８］に記載のシステム。
［Ｃ８０］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、スケジュールされたアクティビティに応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ７７］に記載のシステム。
［Ｃ８１］
前記サーバプロセッサは、前記現在のバイオメトリックセンサーデータが前記サーバに送信された前記時間における個人の前記集団のためのスケジュールされたアクティビティを判断することをさらに備える動作を実行するためのサーバプロセッサ実行可能命令で構成され、
前記サーバプロセッサは、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記スケジュールされたアクティビティと同様のアクティビティ中の前記バイオメトリックパラメータの公称値範囲と比較することを備えるようなサーバプロセッサ実行可能命令で構成された、
［Ｃ８０］に記載のシステム。
［Ｃ８２］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、大気条件に応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ７７］に記載のシステム。
［Ｃ８３］
前記サーバプロセッサは、前記現在のバイオメトリックセンサーデータが前記サーバに送信された前記時間における個人の前記集団のための前記大気条件を判断することをさらに備える動作を実行するためのサーバプロセッサ実行可能命令で構成され、
前記サーバプロセッサは、その個人のための前記バイオメトリックモデルを使用して前記個人のための前記現在のバイオメトリックセンサーデータを評価することが、前記個人のための前記現在のバイオメトリックセンサーデータを、前記現在のバイオメトリックセンサーデータが前記サーバに送信された前記時間における前記大気条件のものと同様の大気条件におけるその個人のための前記バイオメトリックパラメータの公称値範囲と比較することを備えるようなサーバプロセッサ実行可能命令で構成された、
［Ｃ８２］に記載のシステム。
［Ｃ８４］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、各個人の物理的ロケーションに応じて各バイオメトリックパラメータの平均およびしきい値を計算するためにある時間期間にわたって各個人のための受信されたバイオメトリックセンサーデータを分析することを備えるような動作を実行するためのサーバプロセッサ実行可能命令で構成された、［Ｃ７７］に記載のシステム。
［Ｃ８５］
前記サーバプロセッサは、前記現在のバイオメトリックセンサーデータが前記サーバに送信された前記時間における前記集団中の前記個人の前記物理的ロケーションを判断することをさらに備える動作を実行するためのサーバプロセッサ実行可能命令で構成され、
前記サーバプロセッサは、その個人のための前記バイオメトリックモデルを使用して各それぞれの個人のための前記現在のバイオメトリックセンサーデータを評価することが、各それぞれの個人のための前記現在のバイオメトリックセンサーデータを、前記現在のバイオメトリックセンサーデータが前記サーバに送信された前記時間において前記物理的ロケーションにいる間、その個人のための前記バイオメトリックパラメータの公称値範囲と比較することを備えるようなサーバプロセッサ実行可能命令で構成された、
［Ｃ８４］に記載のシステム。
［Ｃ８６］
前記サーバプロセッサは、複数のワイヤレスバイオメトリックセンサーデバイスから取得されたバイオメトリックセンサーデータに基づいて、集団の各個人について公称値およびしきい値バイオメトリックパラメータのバイオメトリックモデルを生成することが、様々なバイオメトリックパラメータ間の依存性を識別するためにある時間期間にわたって各個人のための受信されたバイオメトリックセンサーデータを分析することを備えるような動作を実行するためのサーバプロセッサ実行可能命令で構成された、［Ｃ７７］に記載のシステム。
［Ｃ８７］
前記サーバプロセッサは、前記個人のための前記バイオメトリックモデルを更新することが、前記現在のバイオメトリックセンサーデータを表すために公称値およびしきい値を調整することを備えるようなサーバプロセッサ実行可能命令で構成された、［Ｃ７７］に記載のシステム。
［Ｃ８８］
前記サーバプロセッサは、前記個人のための前記バイオメトリックモデルを更新することが、警報通知に対する応答に起因する情報を表すために公称値およびしきい値を調整することを備えるようなサーバプロセッサ実行可能命令で構成された、［Ｃ７７］に記載のシステム。
［Ｃ８９］
前記サーバプロセッサは、前記現在のバイオメトリックセンサーデータが、病気または負傷を示唆する方法でバイオメトリックパラメータの公称値範囲の外部にあるバイオメトリック測定値を記述すると判断したことに基づいて、例外条件を判断することをさらに備える動作を実行するためのサーバプロセッサ実行可能命令で構成された、［Ｃ７７］に記載のシステム。
［Ｃ９０］
前記サーバプロセッサが、前記例外条件の特性に基づいて送信について前記警報通知を判断することをさらに備える動作を実行するためのサーバプロセッサ実行可能命令で構成された、［Ｃ７７］に記載のシステム。
［Ｃ９１］
前記サーバプロセッサは、前記例外条件を判断したことに応答して警報通知を送信することが、電子通信、シンボル通信、または電話通信のうちの１つを送ることを備えるようなサーバプロセッサ実行可能命令で構成された、［Ｃ７７］に記載のシステム。
［Ｃ９２］
前記サーバプロセッサは、前記例外条件を判断したことに応答して警報通知を送信することが、２つ以上の受信側に通信を送ることを備えるようなサーバプロセッサ実行可能命令で構成された、［Ｃ７７］に記載のシステム。
［Ｃ９３］
前記サーバプロセッサが、前記例外条件の変化に基づく警報レベルの調整に応答して、追加の警報通知を送信することをさらに備える動作を実行するためのサーバプロセッサ実行可能命令で構成された、［Ｃ７７］に記載のシステム。
［Ｃ９４］
前記サーバプロセッサが、前記例外条件と同様の前の例外条件に応答して送信された前の警報通知に対する応答を評価することによって送信について前記警報通知を判断することをさらに備える動作を実行するためのサーバプロセッサ実行可能命令で構成された、［Ｃ７７］に記載のシステム。
［Ｃ９５］
前記サーバプロセッサは、前記バイオメトリックモデルを更新する際に評価され、使用される前記バイオメトリックセンサーデータが、温度、加速度、脈拍数、血圧、血中酸素濃度、血糖値、皮膚のｐＨ、および発汗の存在のうちの１つまたは複数を備えるような動作を実行するためのサーバプロセッサ実行可能命令で構成された、［Ｃ７７］に記載のシステム。